(57)【特許請求の範囲】
【請求項１】
容易に裂断する易裂方向を有する包装フィルムに貼着するフィルム開封機能付ラベルであって、
裏面側に粘着剤層を有する合成樹脂製のシート層と、前記シート層に形成された切断線で構成されるフィルム裂断部と、を有し、
前記フィルム裂断部は、前記包装フィルムの裂断端となる裂断端部と、前記裂断端部の両側から延びる側辺と、前記側辺の端部に形成され前記シート層の裂断を阻害するストッパ部と、を備え、
前記ストッパ部は外側にカールした切断線によって形成されるとともに、
前記裂断端部が前記包装フィルムの易裂方向と略同等の方向となるように貼着することを特徴とするフィルム開封機能付ラベル。
【請求項２】
フィルム裂断部が略円弧状もしくは略コの字状を呈することを特徴とする請求項１記載のフィルム開封機能付ラベル。
【請求項３】
裂断端部の両側に外側に向けて形成された切込線を有することを特徴とする請求項１または請求項２に記載のフィルム開封機能付ラベル。
【請求項４】
裂断端部の切断線が破線によって形成されることを特徴とする請求項１乃至請求項３のいずれかに記載のフィルム開封機能付ラベル。
【請求項５】
シート層が、容易に裂断する易裂方向を有する異方性シートであり、
前記側辺の方向が前記シート層の易裂方向となるように形成することを特徴とする請求項１乃至請求項４のいずれかに記載のフィルム開封機能付ラベル。
【発明の詳細な説明】
【技術分野】
【０００１】
本発明は、商品を包装する包装フィルムに貼着するラベルに関し、特に包装フィルムを裂断し開封端を形成するフィルム開封機能付ラベルに関するものである。
【背景技術】
【０００２】
従来から、発泡スチロールやプラスチック、紙などのトレーに食品等の商品を載せ、上方から透明のラップフィルムを被せ、裏面側にて内容表示ラベルの貼着やラップフィルムの密着性により固定した包装形態が一般的に行われている。また、ヨーグルト、プリン等のデザート類の複数パック商品やカップ麺等の包装形態として、透明のシュリンクフィルムで商品を包んだ上で、シュリンクフィルムの端部を熱溶着する包装形態も一般的に行われている。しかしながら、これら包装フィルムはある程度の強度と延伸性とを有し、特にシュリンクフィルムは熱溶着を行う関係上、ある程度の厚みを有しその強度も強い。このため、商品を購入した開封者が容易に破くことができず開封時にストレスを感じるという問題点がある。また、特に力の弱い高齢者等では刃物を使用しなければ開封できない場合がある。この問題点に関し下記［特許文献１］には、開封ラベルをラップフィルムに貼着し、この開封ラベルを左右に引っ張ることでラップフィルムを破く発明が開示されている。
【先行技術文献】
【特許文献】
【０００３】
【特許文献１】特開２０１１−１６５６９号公報
【発明の概要】
【発明が解決しようとする課題】
【０００４】
しかしながら、これら包装フィルムは延伸性を有するため［特許文献１］に記載の発明のように単純に開封ラベルを貼着し引っ張るだけでは、包装フィルムが塑性変形の限界まで延伸し、破れるまでにはある程度の力を要するという問題点がある。特に、シュリンクフィルムは比較的強度が強いため裂断にかなりの力を要し、依然、力の弱い高齢者等では刃物や両手を使用しなければ開封できないという問題点がある。
【０００５】
本発明は上記事情に鑑みてなされたものであり、包装フィルムを簡単かつ楽に開封することが可能なフィルム開封機能付ラベルを提供することを目的とする。
【課題を解決するための手段】
【０００６】
本発明は、
（１）容易に裂断する易裂方向を有する包装フィルム１０に貼着するフィルム開封機能付ラベルであって、裏面側に粘着剤層２０を有する合成樹脂製のシート層２２と、前記シート層２２に形成された切断線３６で構成されるフィルム裂断部３０と、を有し、
前記フィルム裂断部３０は、前記包装フィルム１０の裂断端となる裂断端部３２と、前記裂断端部３２の両側から延びる側辺３３と、前記側辺３３の端部に形成され前記シート層２２の裂断を阻害するストッパ部３８と、を備え、
前記ストッパ部３８は外側にカールした切断線３６によって形成されるとともに、前記裂断端部３２が前記包装フィルム１０の易裂方向と略同等の方向となるように貼着することを特徴とするフィルム開封機能付ラベル９０を提供することにより、上記課題を解決する。
（２）フィルム裂断部３０が略円弧状もしくは略コの字状を呈することを特徴とする上記（１）記載のフィルム開封機能付ラベル９０を提供することにより、上記課題を解決する。
（３）裂断端部３２の両側に外側に向けて形成された切込線３７を有することを特徴とする上記（１）または（２）に記載のフィルム開封機能付ラベル９０を提供することにより、上記課題を解決する。
（４）裂断端部３２の切断線３６’が破線によって形成されることを特徴とする上記（１）乃至（３）のいずれかに記載のフィルム開封機能付ラベル９０を提供することにより、上記課題を解決する。
（５）シート層２２が、容易に裂断する易裂方向を有する異方性シートであり、
前記側辺３３を前記シート層２２の易裂方向に沿って形成することを特徴とする上記（１）乃至（４）のいずれかに記載のフィルム開封機能付ラベル９０を提供することにより、上記課題を解決する。
【発明の効果】
【０００７】
本発明に係るフィルム開封機能付ラベルは、切断線で形成されたフィルム裂断部を有し、このフィルム裂断部の裂断端部を包装フィルムの易裂方向となるように貼着する。そして、開封者が裂断端部を押下することで、包装フィルムに簡単かつ確実に開封孔を形成することができる。また、本発明に係るフィルム開封機能付ラベルはフィルム裂断部にストッパ部を有するため、開封孔の不用意な拡大を防止することができる。
【図面の簡単な説明】
【０００８】
【図１】本発明に係るフィルム開封機能付ラベルの使用例を示す図である。
【図２】本発明に係るフィルム開封機能付ラベルの正面図及び模式断面図である。
【図３】本発明に係るフィルム開封機能付ラベルの動作を説明する図である。
【図４】本発明に係るフィルム開封機能付ラベルの他の例を示す図である。
【図５】本発明に係るフィルム開封機能付ラベルの方向性を説明する図である。
【図６】本発明に係るフィルム開封機能付ラベルの製造方法を説明する図である。
【発明を実施するための形態】
【０００９】
本発明に係るフィルム開封機能付ラベルの実施の形態について図面に基づいて説明する。図１は、本発明に係るフィルム開封機能付ラベルの使用例を示す図である。また、図２（ａ）は本発明に係るフィルム開封機能付ラベルの一例を示す正面図であり、図２（ｂ）は包装フィルムに貼着した状態におけるＸ−Ｘ線での模式断面図である。尚、図２（ａ）、（ｂ）では印刷物Ａを有する商品ラベルを兼ねたフィルム開封機能付ラベル９０を図示しているが、本発明はこれに限定されるわけではなく、例えば図２（ｃ）に示すように、本発明に係るフィルム開封機能付ラベル９０を商品ラベルとは別に包装フィルム１０に貼着しても良い。
【００１０】
本発明に係るフィルム開封機能付ラベル９０は、商品１を包装する包装フィルム１０に貼着するものであり、裏面側に粘着剤層２０を有する合成樹脂製のシート層２２と、このシート層２２に形成された切断線３６で構成されるフィルム裂断部３０と、を有している。そして、フィルム開封機能付ラベル９０の粘着剤層２０が包装フィルム１０に貼着することで、フィルム開封機能付ラベル９０のラベル本体部３４とフィルム裂断部３０とが包装フィルム１０を密着保持する。尚、フィルム開封機能付ラベル９０の外形形状には特に限定はなく、矩形、角丸四角形、楕円形等の一般的なラベル形状の他、発注者の要望や商品に応じた様々なデザインとすることができる。
【００１１】
また、フィルム開封機能付ラベル９０は、包装フィルム１０の内面が商品１と離れている部分、即ち包装フィルム１０と商品１との間に間隙が存在する部分に、フィルム開封機能付ラベル９０のフィルム裂断部３０が位置するように貼着することが好ましい。尚、商品１と包装フィルム１０との間に間隙が存在する部分の具体例としては、図１に示すパック詰め商品における商品１と商品１の間や、商品１と商品トレーとの間、カップ麺の底面等であり、商品１等の外形の凹凸によって包装フィルム１０に隙間が生じる部分である。
【００１２】
また、フィルム裂断部３０は、包装フィルム１０の裂断端となる裂断端部３２と、裂断端部３２の両側から延びる側辺３３と、この側辺３３の裂断端部３２とは逆側の端部に形成されたストッパ部３８と、を有している。そして、フィルム裂断部３０を構成する裂断端部３２の長さは人の指の幅よりも若干長く形成することが好ましい。また、フィルム裂断部３０の長さ、即ち裂断端部３２の先端から側辺３３の終端までの長さは人の指先の長さ、即ち１ｃｍ〜２ｃｍ程度とすることが好ましい。また、側辺３３の端部に形成されるストッパ部３８はシート層２２の裂断を阻害するものであり、切断線３６が外側にカールすることによって形成される。尚、フィルム裂断部３０は図２に示されるように略円弧状とすることが好ましいが、特にこれに限定されるわけではなく、図４（ａ）に示すように略コの字状としても良い。また、それ以外の形状としても良い。ただし、裂断端部３２は、後述する包装フィルム１０の易裂方向と略同等の方向に位置して、裂断端部３２への押圧によって包装フィルム１０が容易に裂断する形状とする。またさらに、裂断端部３２の両側には外側（ラベル本体部３４の側）に向けて形成された１ｍｍ〜２ｍｍ程度の切込線３７を有することが好ましい。
【００１３】
ここで、フィルム開封機能付ラベル９０が貼着する包装フィルム１０の異方性に関して説明する。一般的な合成樹脂製のシートは合成樹脂スラリを延伸して形成され、この延伸時の方向及び強弱によって容易に裂断する易裂方向と、裂断し難い難裂方向が存在する。この異方性は合成樹脂膜をある程度加熱した状態で一方向に延伸したときに、分子が延伸方向に配列し強度が増すためと考えられ、包装フィルム１０（ラップフィルム、シュリンクフィルム）を含む多くの合成樹脂製シートでは短尺方向が易裂方向となる。
【００１４】
そして、本発明に係るフィルム開封機能付ラベル９０は、裂断端部３２の方向が包装フィルム１０の易裂方向（図２中の白抜き矢印で示す）と略同等の方向となるように貼着する。例えば、フィルム裂断部３０が略円弧状のものの場合、裂断端部３２の略先端部分の接線方向が包装フィルム１０の易裂方向と略同等の方向となるように貼着する。また、フィルム裂断部３０が略コの字状のものの場合、裂断端部３２の方向が包装フィルム１０の易裂方向と略同等の方向となるように貼着する。尚、包装フィルム１０による商品１の包装及びラベルの貼着が納品先で行われる場合には、商品を包装する際の包装フィルム１０の易裂方向と、納品先でのラベルの貼着方向とを予め把握しておき、裂断端部３２の方向が包装フィルム１０の易裂方向と同じとなるようにフィルム開封機能付ラベル９０を形成することが好ましい。尚、上記のように裂断端部３２の方向は包装フィルム１０の易裂方向と一致することが理想的であるが、裂断端部３２の方向と包装フィルム１０の易裂方向とが多少ずれていてもフィルム裂断部３０は十分に機能する。特に、フィルム裂断部３０が略円弧状の場合、裂断端部３２の接線方向には幅が存在するため包装フィルム１０の易裂方向に対するズレの許容範囲が広く、比較的大きなずれに対しても優れた開封機能を発揮する。
【００１５】
また、フィルム開封機能付ラベル９０を構成するシート層２２は、周知の合成樹脂製のシート材を用いることができる。尚、シート層２２に印刷物Ａを形成する場合には、一般的な印刷手法により印刷物Ａの形成が可能なシート層２２を用いる。また、フィルム開封機能付ラベル９０に用いるシート層２２は、前述の包装フィルム１０と同様、容易に裂断する易裂方向と、裂断し難い難裂方向とを有する異方性シートを用いることが好ましい。そして、シート層２２に異方性シートを用いる場合、図２に示すように、フィルム裂断部３０の側辺３３の方向がシート層２２の易裂方向（図２中の黒矢印で示す）となるように形成する。
【００１６】
ここで、本発明のシート層２２に特に好適なシート材の構成を簡単に説明する。本発明に好適なシート材はポリプロピレン樹脂を主成分とし、基層と、この基層の上下に形成された２つの表層の３層で構成される。そして、本発明に好適なシート材は、基層が縦方向（長尺方向）に延伸された後、基層の上下面に表層が成膜され、基層とともに横方向（短尺方向）に延伸されてシート化される。よって、基層は長尺短尺の両方向に延伸され、上下表層は短尺方向にのみ延伸される。また、延伸前の基層、表層は微細な空隙を有し、この空隙も延伸方向に引き伸ばされる。よって、特に上下表層の空隙は短尺方向にのみ延伸され、短尺方向に細長い微細空隙となる。この短尺方向に長い微細空隙の存在によってシート材の短尺方向は容易に裂断する易裂方向となる。そして、この本発明に好適なシート材では、易裂方向である短尺方向がフィルム裂断部３０の側辺３３の方向となるようにフィルム開封機能付ラベル９０を形成する。
【００１７】
また、シート層２２の裏面に形成する粘着剤層２０は、周知の粘着剤を用いることが可能であり、中でもＣＨＲ（ホモポリマー）系の水系アクリルエマルジョン粘着剤を用いることが好ましい。また、粘着剤層２０は強粘着性のものを用いることが好ましく、その粘着力としてはＪＩＳ  Ｚ０２３７に準ずる試験方法で、プラスチック板に対する粘着力が界面破壊の数値で７．６Ｎ／２５ｍｍ程度（６．６Ｎ／２５ｍｍ〜８．６Ｎ／２５ｍｍ）、ステンレス板に対する粘着力が界面破壊の数値で１０．８Ｎ／２５ｍｍ程度（９．８Ｎ／２５ｍｍ〜１１．８Ｎ／２５ｍｍ）のものを用いることが特に好ましい。そして、この粘着剤層２０によりシート層２２と包装フィルム１０とは強い力で粘着して一体化し、包装フィルム１０の延伸性を阻害する。これにより、包装フィルム１０はラベル本体部３４とフィルム裂断部３０との間で自由な伸び縮みができなくなり、延伸性を発揮することなく切断線３６に沿って弱い力で簡単に裂断する。この裂断によって包装フィルム１０には開封端となる孔が開く。
【００１８】
次に、本発明に係るフィルム開封機能付ラベル９０の使用方法を説明する。尚、ここでは包装フィルム１０としてシュリンクフィルム１０を用いて説明を行う。先ず、フィルム開封機能付ラベル９０は、図１に示すように、商品１を包装したシュリンクフィルム１０（包装フィルム１０）に貼着された状態にある。このとき、シュリンクフィルム１０と商品１との間に隙間が生じる部分にフィルム裂断部３０が位置するよう貼着する。尚、このときのシュリンクフィルム１０の易裂方向は図１中の白抜き矢印で示す方向であり、フィルム開封機能付ラベル９０の裂断端部３２と略同等な方向である。
【００１９】
次に、開封者がフィルム裂断部３０の裂断端部３２を指やコイン等で押下する。前述のように、ラベル本体部３４と裂断端部３２とは切断線３６を挟んでシュリンクフィルム１０を貼着保持している。そして、裂断端部３２の方向はシュリンクフィルム１０の易裂方向と略同等の方向である。よって、開封者が裂断端部３２を押下すると、ラベル本体部３４と裂断端部３２とがシュリンクフィルム１０の延伸性を阻害し、シュリンクフィルム１０は易裂方向である裂断端部３２に沿って簡単に裂断する。特にフィルム裂断部３０が略円弧状のものの場合、開封者の押下力は裂断端部３２の先端近傍に集中するから、より弱い力でシュリンクフィルム１０を裂断することができる。裂断端部３２に沿って裂断したシュリンクフィルム１０は、これと連続して側辺３３の切断線３６に沿って裂断する。尚、側辺３３の方向はシュリンクフィルム１０の難裂方向に相当するが、シュリンクフィルム１０は裂断端部３２で既に裂断しており、さらにラベル本体部３４と側辺３３の貼着により延伸性が阻害されているから、側辺３３に沿って容易に裂断する。これにより、シュリンクフィルム１０には、図３に示すように開封孔Ｈが形成される。
【００２０】
また、裂断端部３２は図４（ｂ）、（ｃ）に示すように、断続的に形成された破線状の切断線３６’によって形成しても良い。この構成によれば、裂断端部３２がラベル本体部３４側と部分的に繋がっているため、商品の輸送時や陳列時における偶発的なシュリンクフィルム１０の裂断を防止することができる。
【００２１】
そして、上記の開封者の押下によるシュリンクフィルム１０の裂断は、ストッパ部３８にて一旦停止する。ここで、ストッパ部３８が存在しない場合、シュリンクフィルム１０の裂断と同時にシート層２２がシュリンクフィルム１０とともに側辺３３の方向に大きく裂断し、開封者の指等がシュリンクフィルム１０内に突っ込んで、商品１を傷付けたり、指を痛めたりする虞がある。特に商品１が食品で且つ個別包装がされていない場合、突入した指が食品と直に接触する可能性が有り食品衛生上好ましいものではない。また、商品１が個別包装されている場合では衛生上の問題は生じないが、開封者の意に反して指がシュリンクフィルム１０内に突入することは好ましいものではない。この点、本発明に係るフィルム開封機能付ラベル９０は、側辺３３の端部に外側にカールしたストッパ部３８が存在するため、シート層２２の裂断はここで一旦停止し、不用意に拡大することがない。
【００２２】
そして、開封者が開封孔Ｈの更なる拡大を望む場合には、例えば開封孔Ｈに指を入れ２つの切込線３７の間に位置するラベル本体部３４を引き上げる。このときの引き上げ方向はシート層２２の易裂方向となる。よって、シート層２２は切込線３７を起点として容易に裂断する。また、シュリンクフィルム１０はシート層２２のラベル本体部３４に貼着保持され延伸性が阻害されているから、これもシート層２２とともに容易に裂断する。これにより、シュリンクフィルム１０の開封孔Ｈは拡大し、これを開封端としてシュリンクフィルム１０を楽に開封することができる。尚、シュリンクフィルム１０の開封方法はこれに限定されるわけではなく、開封孔Ｈに手指を入れてシュリンクフィルム１０を裂き破いても良いし、フィルム裂断部３０側を摘まんで引き上げ、ストッパ部３８から強引にシート層２２及びシュリンクフィルム１０を裂断して開封しても良い。
【００２３】
ここで、図５に示すような印刷物Ａを有するフィルム開封機能付ラベル９０を製造すると仮定する。そして、例えば商品包装時のシュリンクフィルム１０の易裂方向が、図５（ａ）、（ｃ）の白抜き矢印の方向の場合、フィルム開封機能付ラベル９０は図５（ａ）、（ｃ）に示すように、裂断端部３２がシュリンクフィルム１０の易裂方向となる方向にフィルム裂断部３０を形成する。このとき、図５中の黒矢印に示すシート層２２の易裂方向は、フィルム裂断部３０の側辺３３の方向とする。よって、シート層２２の易裂方向がシート材の短尺方向の場合、図５（ａ）に示すフィルム開封機能付ラベル９０の印刷方向は図５（ｂ）に示す方向となる。また、図５（ｃ）に示すフィルム開封機能付ラベル９０の印刷方向は図５（ｄ）に示す方向となる。尚、フィルム裂断部３０には、図５に示すように、開封者に包装フィルムを裂断する動作を示唆する「ＰＵＳＨ」や「押す」等の印刷物ａを形成しても良い。
【００２４】
次に、本発明のフィルム開封機能付ラベル９０の製造方法の一例を図６を用いて説明する。尚、ここでは印刷物Ａを有するフィルム開封機能付ラベル９０の製造方法を説明する。先ず、帯状のシート材９４が巻回された原反ロール９４ａをラベル製造装置１００に設置する。このシート材９４は、粘着剤層２０を備えたシート層２２と、離形処理が施され粘着剤層２０の粘着面に仮貼着されたセパレータ２６と、を有している。そしてシート材９４は搬送ローラによってラベル製造装置１００のラベル面印刷機４６に搬送され、ここでシート層２２の表面に所定の印刷物Ａが印刷形成される。尚、多色印刷等の場合には、このラベル面印刷機４６は複数台設置される。ラベル面の印刷が行われたシート材９４は打ち抜き機４８に搬送され、フィルム裂断部３０が形成されるとともに、所定のフィルム開封機能付ラベル９０の形状に打ち抜かれる。このとき、セパレータ２６に対しては打ち抜きが行われず、フィルム開封機能付ラベル９０はセパレータ２６上に担持される。打ち抜きの行われたシート材９４は周囲の不要な余白部分のシート層２２’が剥離除去され巻き取られる。これにより、セパレータ２６上に複数のフィルム開封機能付ラベル９０が担持されたラベルロール９２が完成する。そして、このラベルロール９２は例えば受注元に納品され、商品１を包装した包装フィルム１０上に貼着される。
【００２５】
以上のように、本発明に係るフィルム開封機能付ラベル９０は切断線３６で形成されたフィルム裂断部３０を有しており、このフィルム裂断部３０の裂断端部３２が包装フィルム１０の易裂方向となるように貼着される。そして、開封者が裂断端部３２を押下すると、包装フィルム１０に貼着した裂断端部３２とラベル本体部３４とが包装フィルム１０の延伸性を阻害し、包装フィルム１０は裂断端部３２に沿って簡単に裂断する。次いで、包装フィルム１０は側辺３３に沿って裂断し、これにより包装フィルム１０には開封孔Ｈが形成される。また、包装フィルム１０の裂断は側辺３３の端部に形成されたストッパ部３８で一旦停止する。これにより、開封孔Ｈが不用意に拡大することはない。そして、開封者はこの開封孔Ｈを開封端として用いることで、簡単かつ確実に包装フィルム１０の開封を行うことができる。
【００２６】
尚、本例で示したフィルム開封機能付ラベル９０の構成は一例であり、フィルム開封機能付ラベル９０、フィルム裂断部３０の各部の形状、寸法、層構成、製造方法等は上記のものに限定されるものではなく、本発明は本発明の要旨を逸脱しない範囲で変更して実施することが可能である。
【符号の説明】
【００２７】
１      商品
１０    包装フィルム
２０    粘着剤層
２２    シート層
３０    フィルム裂断部
３２    裂断端部
３３    側辺
３６    切断線
３７    切込線
３８    ストッパ部
９０    フィルム開封機能付ラベル
【要約】
【課題】商品を包装する包装フィルムを簡単かつ楽に開封することが可能なフィルム開封機能付ラベルを提供する。
【解決手段】このフィルム開封機能付ラベル９０は切断線３６で形成されたフィルム裂断部３０を有しており、このフィルム裂断部３０の裂断端部３２が包装フィルム１０の易裂方向となるように貼着する。そして、開封者が裂断端部３２を押下すると包装フィルム１０は裂断端部３２に沿って裂断する。これにより包装フィルム１０に開封孔Ｈが形成される。また、包装フィルム１０の裂断は側辺３３端部のストッパ部３８で一旦停止し、開封孔Ｈが不用意に拡大することはない。そして、開封者はこの開封孔Ｈを開封端として用いることで、簡単かつ確実に包装フィルム１０を開封することができる。
【選択図】図２【図１】
0005734499.tif 000002
【図２】
0005734499.tif 000003
【図３】
0005734499.tif 000004
【図４】
0005734499.tif 000005
【図５】
0005734499.tif 000006
【図６】
0005734499.tif 000007